(57)【要約】【課題】箱内にきっちりと納められた遊技機を容易に取り出すことのできる遊技機用梱包箱を提供する。【解決手段】遊技機用梱包箱３５の前後及び左右側面部３５ｂ〜３５ｅに、遊技機用梱包箱３５を上下方向に２分割可能とする切り離し式の脆弱部３５ｆを設ける。【選択図】図３
2007229236.tif 000002
【特許請求の範囲】
【請求項１】
遊技機を収納する遊技機用梱包箱であって、
前記遊技機用梱包箱の側面部に、前記遊技機用梱包箱を上下方向に分割可能とする切り離し式の脆弱部が設けられていることを特徴とする遊技機用梱包箱。
【請求項２】
前記脆弱部は、ミシン目に沿って切り離し可能とされていることを特徴とする請求項１に記載の遊技機用梱包箱。
【請求項３】
前記脆弱部は、前記遊技機用梱包箱から切り離される際に千切れることがないように前記脆弱部に沿った帯状の補強部材によって補強されていることを特徴とする請求項１又は２に記載の遊技機用梱包箱。
【発明の詳細な説明】
【技術分野】
【０００１】
この発明は、パチンコ機等の遊技機用梱包箱に関し、さらに詳しくは、遊技機を配送する際に用いられる梱包箱に関する。
【０００２】
従来、パチンコ機等の遊技機は、製品製造工場において組み立てが終了すると、流通業者の輸送トラックによって販社、遊技場等に向けて配送される。
【０００３】
配送時における遊技機は、数量、配送先等に応じて、１個ずつ専用の梱包箱としての段ボール箱にきっちりと納められた状態で配送されることがある（例えば、特許文献１参照）。
【０００４】
【特許文献１】特開２０００−４３１６０号公報
【発明の開示】
【発明が解決しようとする課題】
【０００５】
しかしながら、遊技機はかなりの重量があるうえに、前面パネルのヒンジ部、つまり正面左側を上方側にして箱詰めされるために、段ボール箱の上蓋を開放しても遊技機には掴み所があまり見当たらない。そのため、段ボール箱にきっちりと納められた遊技機は取り出しにくいという問題があった。
【０００６】
そこで、この発明は、上記した従来技術が有している問題点を解決するためになされたものであって、箱内にきっちりと納められた遊技機を容易に取り出すことのできる遊技機用梱包箱を提供することを目的とする。
【０００７】
上記目的を達成するため第１の発明は、遊技機を収納する遊技機用梱包箱であって、
前記遊技機用梱包箱の側面部に、前記遊技機用梱包箱を上下方向に分割可能とする切り離し式の脆弱部が設けられていることを特徴とする。
【０００８】
上記目的を達成するため第２の発明は、第１の発明の構成に加えて、前記脆弱部は、ミシン目に沿って切り離し可能とされていることを特徴とする。
【０００９】
上記目的を達成するため第３の発明は、第１又は第２の発明の構成に加えて、前記脆弱部は、前記遊技機用梱包箱から切り離される際に千切れることがないように前記脆弱部に沿った帯状の補強部材によって補強されていることを特徴とする。
【００１０】
第１乃至第３の発明によれば、遊技機用梱包箱の側面部に設けられた脆弱部を遊技機用梱包箱から切り離すと遊技機用梱包箱が上下方向に２分割される。これにより、分割されたうち上側の遊技機用梱包箱を取り除くと、遊技機用梱包箱内にきっちりと納められた遊技機の大部分が露出するようになるので、遊技機用梱包箱から遊技機を容易に取り出すことができるようになる。
【発明の効果】
【００１１】
本発明の遊技機用梱包箱によれば、遊技機用梱包箱の側面部に、遊技機用梱包箱を上下方向に分割可能とする切り離し式の脆弱部を設けた。脆弱部を遊技機用梱包箱から切り離すと、遊技機用梱包箱は上下に分割されて、遊技機用梱包箱内にきっちりと納められた遊技機の大部分が露出するようになるので、遊技機用梱包箱から遊技機を容易に取り出すことができるようになる。
【発明を実施するための最良の形態】
【００１２】
以下、本発明の実施形態の遊技機としてのパチンコ機について図面を用いて説明する。図１は、パチンコ機の正面図、図２は、図１の背面図である。
【００１３】
まず、遊技機としてのパチンコ機の概略構成について説明する。
図１に示されるように、遊技機としてのパチンコ機１１は、パチンコ機全体の筐体をなす外枠１２、遊技盤保持枠１３、前面パネル１４等で構成されている。遊技盤保持枠１３は、遊技盤１６を有して、外枠１２に回転可能に設けられている。前面パネル１４は、遊技盤保持枠１３を開閉できるように、外枠１２に回転自在に設けられている。さらに、この前面パネル１４には、遊技盤１６を覆うガラスを有して遊技盤１６を開閉するガラス枠１８、遊技球としてのパチンコ球を発射する発射装置３１及びこの発射装置を操作する発射ハンドル４１を設けてある皿ユニット１９等が備えられている。
【００１４】
遊技盤１６の前面には、液晶からなる特別図柄表示画面２２を有するエスカッション２０、複数の入賞口１５、特別入賞口１７、いずれの入賞口１５，１７にも入らなかったアウト球を遊技盤１６から排出するアウト口２１、図示しない障害釘等が備えられている。特別図柄表示画面２２は、遊技盤１６のほぼ中央に位置してエスカッション２０の開口２０ａから露出するように設けられている。
【００１５】
図２に示されるように、パチンコ機１１の背面側には、遊技島に設置してある貯留装置から一度に多数のパチンコ球が送り込まれても受け止めることのできる賞球タンク２３、この賞球タンク２３から流出する賞球を案内する横案内路２４及び図示しない縦案内路、表側に特別図柄表示画面２２を備えた液晶ユニット２５、サブ制御基板２６、パチンコ機全体を制御する主制御基板２７、パチンコ機全体の電源となる電源ユニット２８、賞球の払い出し制御を行う払い出し制御基板２９、発射装置３１を発射制御する発射制御基板３０等が備えられている。
【００１６】
主制御基板２７は、パチンコ機全体を制御するため、パチンコ機１１の動作全体を管理するシステムプログラム及び遊技機用の実行プログラムが予め記憶された半導体メモリ等からなる記憶部、これらのプログラムを実行するマイクロプロセッサ（ＭＰＵ）を備えている。
【００１７】
次に、本発明の実施形態に係る遊技機用梱包箱について図３を用いて説明する。図３（ａ）は、本発明の実施形態に係る遊技機用梱包箱を示した斜視図、（ｂ）は、上下２分割された遊技機用梱包箱内からパチンコ機を取り出す状態を示した斜視図である。
【００１８】
図３（ａ）に示されるように、遊技機用梱包箱３５の上部には、観音開き状の上蓋３５ａが開閉自在に設けられており、この上蓋３５ａを開くことによって現れる開口部からその内部に向かって、パチンコ機１１が前面パネル１４のヒンジ部を上方側にした状態で箱詰めされるようになっている。なお、箱詰めされるパチンコ機１１には、ビニールカバーＣが被せられている。
【００１９】
遊技機用梱包箱３５の側方に臨んだ前後及び左右側面部３５ｂ〜３５ｅには、遊技機用梱包箱３５を上下方向に２分割するように、遊技機用梱包箱３５から切り離し可能とされた脆弱部３５ｆがほぼ水平状に連続して設けられている。この脆弱部３５ｂは、上下にミシン目をほぼ平行に入れることによって形成されているが、これに限定されるものではなく、箱本体から切り離し可能、且つ箱本体から切り離されていない状態にあっては、内部に詰めたパチンコ機１１の重量によって破断することがない強度を有するのであれば、他の形態であってもよい。
【００２０】
さらに、この脆弱部３５ｆの切り離し起点には、脆弱部３５ｆの切り離しを容易化するため、箱本体との間に明確な切り込みが予め３方向に亘って入れられた引き出し部としてのリップ部３５ｇが設けられており、このリップ部３５ｇの残り１方向が脆弱部３５ｆの切り離し方向に連なっている。
【００２１】
次に、本実施形態に係る遊技機用梱包箱３５からパチンコ機１１を取り出す手順について図３（ａ）（ｂ）を用いて説明する。
【００２２】
まず、図３（ａ）に示されるように、箱本体からリップ部３５ｇ引き起こすと共に、リップ部３５ｇを握りながら、ミシン目に沿って脆弱部３５ｆを遊技機用梱包箱３５の全側面３５ｂ〜３５ｅから切り離す。すると、脆弱部３５ｆが遊技機用梱包箱３５から切り離されることによって、遊技機用梱包箱３５は上下に２分割される。そして、図３（ｂ）に示されるように、分割された上側の遊技機用梱包箱３５を取り除くと、遊技機用梱包箱３５内にきっちりと納められたパチンコ機１１の大部分が露出するようになるので、遊技機用梱包箱３５からパチンコ機１１を容易に取り出すことができるようになる。
【００２３】
なお、本発明の実施形態にあっては、脆弱部３５ｆをほぼ水平となるように設けたが、これに限定されるものではなく、脆弱部３５ｆを斜行して設けることも可能である。さらには、脆弱部３５ｆを遊技機用梱包箱３５の中央位置よりも下方側に設けるようにしたが、これに限定されるものではない。さらにまた、脆弱部３５ｆは、遊技機用梱包箱３５を左右方向に２分割するように形成することも可能でる。左右方向に２分割する場合には、遊技機用梱包箱３５の底部に、脆弱部３５ｆの起点と終点とを連ねる切り欠き部を予め設けておくことが望ましい。
【００２４】
また、脆弱部３５ｆの切り離し時に脆弱部３５ｆが途中で千切れることがないように、脆弱部３５ｆに沿って帯状の千切れ防止用の補強材を設けることが可能である。
【００２５】
以上説明したように本発明によれば、遊技機用梱包箱３５の前後及び左右側面部３５ｂ〜３５ｅに連なって設けられた脆弱部３５ｆをミシン目に沿って遊技機用梱包箱３５から切り離すと遊技機用梱包箱３５が上下方向に２分割される。これにより、２分割されたうち上側の遊技機用梱包箱３５を取り除くと、遊技機用梱包箱３５内にきっちりと納められたパチンコ機１１の大部分が露出するようになるので、遊技機用梱包箱３５からパチンコ機１１を容易に取り出すことができるようになる。
【図面の簡単な説明】
【００２６】
【図１】パチンコ機の正面図である。
【図２】図１の背面図である。
【図３】（ａ）は、本発明の実施形態に係る遊技機用梱包箱を示した斜視図、（ｂ）は、上下２分割された遊技機用梱包箱内からパチンコ機を取り出す状態を示した斜視図である。
【符号の説明】
【００２７】
１１    パチンコ機（遊技機）
１４    前面パネル
３５    梱包箱
３５ａ  上蓋
３５ｂ〜３５ｅ  前後及び左右側面
３５ｆ  脆弱部
３５ｇ  リップ部（引き出し部）
【図１】
2007229236.tif 000003
【図２】
2007229236.tif 000004
【図３】
2007229236.tif 000005